(57)【要約】【課題】  コイル部に含まれるコイルとコンデンサ部に含まれるコンデンサとの間に発生するクロストークの低減、及び薄型化を実現することができる積層型フィルタアレイを提供する。【解決手段】  積層型フィルタアレイ１では、コイルＬ１〜Ｌ４を含むコイル部１０は、コンデンサＣ１〜Ｃ４を含むコンデンサ部２０に対して接地用電極２１１が形成された絶縁体層２３側に積層されている。これにより、コイルＬ１〜Ｌ４とコンデンサＣ１〜Ｃ４との間に発生するクロストークを低減することができる。更に、コンデンサ部２０は、一層の絶縁体層２３に対して２個の信号用電極２２１，２２３及び２個の信号用電極２２２，２２４のそれぞれを形成することで構成されている。これにより、積層型フィルタアレイ１を薄型化することができる。【選択図】  図２
2006041820.tif 000002
【特許請求の範囲】
【請求項１】
ｍ個の導体パターンが形成された絶縁体層が複数層積層されて構成され、前記導体パターンにより構成されたｍ個のコイルを含むコイル部と、
接地用電極が形成された絶縁体層及びｎ個の信号用電極が形成された絶縁体層がｍ／ｎ層ずつ交互に積層されて構成され、前記接地用電極及び前記信号用電極により構成されたｍ個のコンデンサを含むコンデンサ部とを備え、
前記コイル部は、前記コンデンサ部に対して前記接地用電極が形成された絶縁体層側に積層されていることを特徴とする積層型フィルタアレイ。
【請求項２】
ｎ個の前記信号用電極は、信号伝送時においてクロストークが−３０ｄＢ以下となる間隔をとって絶縁体層上に配置されていることを特徴とする請求項１記載の積層型フィルタアレイ。
【発明の詳細な説明】
【技術分野】
【０００１】
本発明は、電子機器等においてノイズ除去に用いられる積層型フィルタアレイに関する。
【背景技術】
【０００２】
従来におけるこの種の積層型フィルタアレイとして、例えば特許文献１に記載されたＬＣ複合部品アレイがある。このＬＣ複合部品アレイでは、複数のインダクタ素子を備えた磁性体からなる第１コイル部と第２コイル部とが、複数のコンデンサ素子を備えた誘電体からなるコンデンサ部を挟んで積層されており、隣接するＬＣ複合部品のうち一方のＬＣ複合部品を構成するインダクタ素子が第１コイル部に配設され、他方のＬＣ複合部品を構成するインダクタ素子が第２コイル部に配設されている。
【０００３】
このような構成により、コンデンサ部を挟んで配設されるインダクタ素子間の間隔、及び第１コイル部内又は第２コイル部内におけるインダクタ素子間の間隔が広くなるため、インダクタ素子間に発生する磁気的及び静電気的結合によるクロストークを低減することができる。
【特許文献１】実用新案登録第２６０７８５３号公報
【発明の開示】
【発明が解決しようとする課題】
【０００４】
しかしながら、上述したようなＬＣ複合部品アレイにおいては、インダクタ素子を構成する導体パターンの幅が細いことから、インダクタ素子間における浮遊容量は小さく、よって、インダクタ素子間における静電気的結合によるクロストークは殆ど無い。また、一般的に、インダクタ素子間における磁気的結合によるクロストークも殆ど無いと認識されている。
【０００５】
この種の積層型フィルタアレイでは、むしろ、コイル部に含まれるコイルとコンデンサ部に含まれるコンデンサとの間に発生するクロストークを如何に低減するかが重要である。
【０００６】
また、昨今の電子部品に対する小型化の要求は一向に衰えず、積層型フィルタアレイについても、その薄型化が強く望まれている。
【０００７】
そこで、本発明は、このような事情に鑑みてなされたものであり、コイル部に含まれるコイルとコンデンサ部に含まれるコンデンサとの間に発生するクロストークの低減、及び薄型化を実現することができる積層型フィルタアレイを提供することを目的とする。
【課題を解決するための手段】
【０００８】
上記目的を達成するために、本発明に係る積層型フィルタアレイは、ｍ個（ｍは４以上の偶数）の導体パターンが形成された絶縁体層が複数層積層されて構成され、導体パターンにより構成されたｍ個のコイルを含むコイル部と、接地用電極が形成された絶縁体層及びｎ個（ｎは２以上の自然数）の信号用電極が形成された絶縁体層がｍ／ｎ層（ｍ／ｎは２以上の自然数）ずつ交互に積層されて構成され、接地用電極及び信号用電極により構成されたｍ個のコンデンサを含むコンデンサ部とを備え、コイル部は、コンデンサ部に対して接地用電極が形成された絶縁体層側に積層されていることを特徴とする。
【０００９】
この積層型フィルタアレイにおいては、導体パターンにより構成されたコイルを含むコイル部は、接地用電極及び信号用電極により構成されたコンデンサを含むコンデンサ部に対して接地用電極が形成された絶縁体層側に積層されている。このように接地用電極及び信号用電極のうち接地用電極がコイル側に配置されていることで、コイル部に含まれるコイルとコンデンサ部に含まれるコンデンサとの間に発生するクロストークを低減することができる。更に、コンデンサ部は、接地用電極が形成された絶縁体層及びｎ個（ｎは２以上の自然数）の信号用電極が形成された絶縁体層がｍ／ｎ層（ｍは４以上の偶数、ｍ／ｎは２以上の自然数）ずつ交互に積層されて構成されている。このように一層の絶縁体層に対してｎ個の信号用電極を形成することで、コンデンサ部を構成する絶縁体層の積層数を減少させて、積層型フィルタアレイを薄型化することができる。
【００１０】
また、ｎ個の信号用電極は、信号伝送時においてクロストークが−３０ｄＢ以下となる間隔をとって絶縁体層上に配置されていることが好ましい。これにより、一層の絶縁体層上に配置されたｎ個の信号用電極間に発生するクロストークを低減することができる。
【発明の効果】
【００１１】
本発明に係る積層型フィルタアレイによれば、コイル部に含まれるコイルとコンデンサ部に含まれるコンデンサとの間に発生するクロストークの低減、及び薄型化を実現することができる。
【発明を実施するための最良の形態】
【００１２】
以下、本発明に係る積層型フィルタアレイの好適な実施形態について、図面を参照して詳細に説明する。なお、各図において同一又は相当部分には同一符号を付し、重複する説明を省略する。
【００１３】
図１は、本発明に係る積層型フィルタアレイの一実施形態の斜視図である。同図に示されるように、積層型フィルタアレイ１は直方体状の形状を有しており、長手方向に垂直な方向において対面する側面のうち一方の側面に形成された４個の入力端子２１〜２４と、他方の側面に形成された出力端子３１〜３４と、長手方向において対面する両側面に形成された接地用端子４とを備えている。
【００１４】
図２は、図１に示された積層型フィルタアレイの分解斜視図である。同図に示されるように、積層型フィルタアレイ１は、４個のコイルＬ１〜Ｌ４を含むコイル部１０と、４個のコンデンサＣ１〜Ｃ４を含むコンデンサ部２０とを備えている。これらのコイル部１０及びコンデンサ部２０が積層されることにより直方体状の積層型フィルタアレイ１が構成されることとなる。
【００１５】
コイル部１０は、図３に示されるように、４個の導体パターン１１１〜１１４，１２１〜１２４，１３１〜１３４，１４１〜１４４，１５１〜１５４，１６１〜１６４のそれぞれが形成された長方形薄板状の非磁性体グリーンシート（絶縁体層）１７が６層積層されて構成されている。各導体パターン１１１〜１１４は、非磁性体グリーンシート１７上において長手方向に所定の間隔をとって並設されており、互いに電気的に絶縁されている。このことは、各導体パターン１２１〜１２４，１３１〜１３４，１４１〜１４４，１５１〜１５４，１６１〜１６４についても同様である。
【００１６】
各導体パターン１１１〜１１４は、積層型フィルタアレイ１の一方の側面側に引き出されて非磁性体グリーンシート１７の一端部から露出しており、各導体パターン１６１〜１６４は、積層型フィルタアレイ１の他方の側面側に引き出されて非磁性体グリーンシート１７の他端部から露出している。また、各導体パターン１２１〜１２４，１３１〜１３４，１４１〜１４４，１５１〜１５４は、非磁性体グリーンシート１７上においてＣ字状に巻き回されている。
【００１７】
そして、積層方向に整列した導体パターン１１１〜１６１は、その端部同士が非磁性体グリーンシート１７に形成された貫通電極１８により電気的に接続されており、これによりコイルＬ１が構成されることとなる。同様に、導体パターン１１２〜１６２及び貫通電極１８によりコイルＬ２が構成され、導体パターン１１３〜１６３及び貫通電極１８によりコイルＬ３が構成され、導体パターン１１４〜１６４及び貫通電極１８によりコイルＬ４が構成されることとなる。このように構成された各コイルＬ１〜Ｌ４は、導体パターン１１１〜１１４のそれぞれを介して各出力端子３１〜３４に電気的に接続され、導体パターン１６１〜１６４のそれぞれを介して各入力端子２１〜２４に電気的に接続されている。
【００１８】
コンデンサ部２０は、図４に示されるように、接地用電極２１１が形成された長方形薄板状の非磁性体グリーンシート（絶縁体層）２３、２個の信号用電極２２１，２２３が形成された非磁性体グリーンシート２３、接地用電極２１２が形成された非磁性体グリーンシート２３、及び２個の信号用電極２２２，２２４が形成された非磁性体グリーンシート２３がこの順序で４層積層されて構成されている。各信号用電極２２１，２２３は、非磁性体グリーンシート２３上において長手方向に所定の間隔をとって並設されており、互いに電気的に絶縁されている。このことは、各信号用電極２２２，２２４についても同様である。
【００１９】
各接地用電極２１１，２１２は長方形状に形成されており、積層型フィルタアレイ１の長手方向において対面する両側面に引き出されて非磁性体グリーンシート２３の両端部から露出した一対の導出部２１ａ１及び一対の導出部２１ａ２のそれぞれを有している。また、２個の信号用電極２２１，２２３は、接地用電極２１１と対面するように長方形状に形成されており、積層型フィルタアレイ１の一方の側面側に引き出されて非磁性体グリーンシート２３の一端部から露出した導出部２２ａ１，２２ａ３を有している。同様に、２個の信号用電極２２２，２２４は、接地用電極２１２と対面するように長方形状に形成されており、積層型フィルタアレイ１の一方の側面側に引き出されて非磁性体グリーンシート２３の一端部から露出した導出部２２ａ２，２２ａ４を有している。
【００２０】
そして、接地用電極２１１、信号用電極２２１及びこれらに挟まれた非磁性体グリーンシート２３によりコンデンサＣ１が構成され、接地用電極２１２、信号用電極２２２及びこれらに挟まれた非磁性体グリーンシート２３によりコンデンサＣ２が構成されることとなる。更に、接地用電極２１１、信号用電極２２３及びこれらに挟まれた非磁性体グリーンシート２３によりコンデンサＣ３が構成され、接地用電極２１２、信号用電極２２４及びこれらに挟まれた非磁性体グリーンシート２３によりコンデンサＣ４が構成されることとなる。このように構成された各コンデンサＣ１〜Ｃ４において、各接地用電極２１１，２１２は、一対の導出部２１ａ１及び一対の導出部２１ａ２のそれぞれを介して接地用端子４に電気的に接続されており、各信号用電極２２１〜２２４は、導出部２２ａ１〜２２ａ４のそれぞれを介して各出力端子３１〜３４に電気的に接続されている。
【００２１】
図５は、図１に示された積層型フィルタアレイの等価回路図である。同図に示されるように、積層型フィルタアレイ１においては、コイルＬ１〜Ｌ４及びコンデンサＣ１〜Ｃ４によってＬ型の回路構成が採用されている。
【００２２】
なお、図２に示されるように、コイル部１０とコンデンサ部２０との間には、コイル部１０とコンデンサ部２０との間の距離を調整するための非磁性体グリーンシート３１が積層されている。また、コイル部１０の最外層の非磁性体グリーンシート１７上には非磁性体グリーンシート３２が積層され、コンデンサ部２０の最外層の非磁性体グリーンシート２３下には、積層型フィルタアレイ１を保護するための非磁性体グリーンシート２４が積層されている。
【００２３】
以上のように構成された積層型フィルタアレイ１においては、コイルＬ１〜Ｌ４を含むコイル部１０は、コンデンサＣ１〜Ｃ４を含むコンデンサ部２０に対して接地用電極２１１が形成された非磁性体グリーンシート２３側に積層されている。このように接地用電極２１１がコイルＬ１〜Ｌ４側に配置されていることで、コイル部１０に含まれるコイルＬ１〜Ｌ４とコンデンサ部２０に含まれるコンデンサＣ１〜Ｃ４との間に発生するクロストークを低減することができる。
【００２４】
更に、コンデンサ部２０は、接地用電極２１１が形成された非磁性体グリーンシート２３、２個の信号用電極２２１，２２３が形成された非磁性体グリーンシート２３、接地用電極２１２が形成された非磁性体グリーンシート２３、及び２個の信号用電極２２２，２２４が形成された非磁性体グリーンシート２３がこの順序で４層積層されて構成されている。このように一層の非磁性体グリーンシート２３に対して２個の信号用電極２２１，２２３及び２個の信号用電極２２２，２２４のそれぞれを形成することで、コンデンサ部２０を構成する非磁性体グリーンシート２３の積層数を減少させて、積層型フィルタアレイ１を薄型化することができる。
【００２５】
また、２個の信号用電極２２１，２２３及び２個の信号用電極２２２，２２４のそれぞれは、信号伝送時においてクロストークが−３０ｄＢ以下（より好ましくは、−３５ｄＢ以下）となる間隔をとって非磁性体グリーンシート２３上に配置されている。これにより、一層の非磁性体グリーンシート２３上に配置された２個の信号用電極２２１，２２３間及び２個の信号用電極２２２，２２４間のそれぞれに発生するクロストークを低減することができる。
【００２６】
このクロストークを−３０ｄＢ以下とするためには、非磁性体グリーンシート２３の厚さや誘電率等に依存するものの、当該誘電率が１０程度であれば、図６に示される信号用電極２２１，２２３間（信号用電極２２２，２２４間）の間隔Ｇを１５０μｍ以上とすればよい。更に、このクロストークを−３５ｄＢ以下とするためには、間隔Ｇを２００μｍ程度とすればよい。
【００２７】
次に、積層型フィルタアレイ１の製造方法の一例について説明する。まず、非磁性体グリーンシート１７，３１，３２には、Ｆｅ２Ｏ３、ＺｎＯ及びＣｕＯの混合粉を原料としたスラリーをドクターブレード法により厚さが１８μｍとなるようにフィルム上に塗布することにより形成したものを用いる。また、非磁性体グリーンシート２３，２４には、ＴｉＯ２、ＣｕＯ、ＮｉＯ及びＭｎＯ２の混合粉を原料としたスラリーをドクターブレード法により厚さが１５μｍとなるようにフィルム上に塗布することにより形成したものを用いる。
【００２８】
続いて、非磁性体グリーンシート１７の所定の位置に、貫通電極１８を設けるためのスルーホールを形成する。そして、非磁性体グリーンシート１７上に、銀を主成分とする導体ペーストをスクリーン印刷することにより、導体パターン１１１〜１１４，１２１〜１２４，１３１〜１３４，１４１〜１４４，１５１〜１５４，１６１〜１６４を形成する。同様に、非磁性体グリーンシート２３上に、接地用電極２１１、信号用電極２２１，２２３、接地用電極２１２、信号用電極２２２，２２４を形成する。
【００２９】
続いて、非磁性体グリーンシート１７，２３，２４，３１，３２を図２に示される順序で積層して圧着し、チップ単位に切断する。これにより、長さ２．０ｍｍ、幅１．０ｍｍ、厚さ０．５ｍｍのチップを形成する。その後、切断したチップを８７０℃にて焼成する。
【００３０】
続いて、焼成したチップに、銀を主成分とする導体ペーストを転写して７００℃にて焼き付けし、更に、Ｃｕ、Ｎｉ及びＳｎを用いて電気めっきを施すことにより、入力端子２１〜２４、出力電極３１〜３４及び接地用端子４を形成する。
【００３１】
以上のようにして積層型フィルタアレイ１を完成させる。なお、完成後において、幅が７０μｍ、厚さが１２μｍとなるように導体パターン１１１〜１１４，１２１〜１２４，１３１〜１３４，１４１〜１４４，１５１〜１５４，１６１〜１６４を設計する。また、厚さが６μｍとなるように接地用電極２１１、信号用電極２２１，２２３、接地用電極２１２、信号用電極２２２，２２４を設計する。更に、間隔Ｇが１７０μｍとなるように信号用電極２２１，２２３、信号用電極２２２，２２４を設計する。
【００３２】
本発明は、上記実施形態に限定されるものではない。
【００３３】
例えば、上述した積層型フィルタアレイ１においては、コイル部１０は、４個の導体パターンが形成された非磁性体グリーンシート１７が６層積層されて構成され、当該導体パターンにより構成された４個のコイルＬを含んでおり、コンデンサ部２０は、接地用電極が形成された非磁性体グリーンシート２３及び２個の信号用電極が形成された非磁性体グリーンシート２３が２層ずつ交互に積層されて構成され、当該接地用電極及び当該信号用電極により構成された４個のコンデンサＣを含んでいたが、これに限定されない。
【００３４】
つまり、本発明に係る積層型フィルタアレイにおいては、コイル部は、ｍ個（ｍは４以上の偶数）の導体パターンが形成された絶縁体層（非磁性体グリーンシート等）が複数層積層されて構成され、当該導体パターンにより構成されたｍ個のコイルを含んでおり、コンデンサ部は、接地用電極が形成された絶縁体層及びｎ個（ｎは２以上の自然数）の信号用電極が形成された絶縁体層がｍ／ｎ層（ｍ／ｎは２以上の自然数）ずつ交互に積層されて構成され、当該接地用電極及び当該信号用電極により構成されたｍ個のコンデンサを含んでいればよい。このような場合にも、一層の絶縁体層に対してｎ個の信号用電極が形成されるため、コンデンサ部を構成する絶縁体層の積層数を減少させて、積層型フィルタアレイを薄型化することができる。
【００３５】
また、上述した積層型フィルタアレイ１においては、コイル部１０及びコンデンサ部２０を構成する絶縁体層として非磁性体グリーンシート１７，２３を用いているため、コンデンサＣのキャパシタンスとコイルＬのインダクタンスとで決まる共振周波数を高周波側に設定することが可能となり、より高帯域のノイズを除去することができるが、これに限定されない。
【００３６】
例えば、コイル部１０を構成する絶縁体層を磁性体により形成し、コンデンサ部２０を構成する絶縁体層を非磁性体により形成してもよい。この場合、コンデンサＣのキャパシタンスとコイルＬのインダクタンスとで決まる共振周波数を低周波側に設定することが可能となり、より低帯域のノイズを除去することができる。なお、コイル部１０を構成する絶縁体層を磁性体により形成する場合の磁性体グリーンシートには、Ｎｉ−Ｃｕ−Ｚｎ系フェライト、Ｎｉ−Ｃｕ−Ｚｎ−Ｍｇ系フェライト、Ｃｕ−Ｚｎ系フェライト、又はＮｉ−Ｃｕ系フェライト等の磁性体粉末をバインダーで結着させてシート状に形成したものを用いることが好ましい。
【００３７】
また、上述した積層型フィルタアレイ１においては、コイルＬ１〜Ｌ４及びコンデンサＣ１〜Ｃ４によってＬ型の回路構成が採用されていたが、積層型フィルタアレイが使用される電子機器等の特性に適合したノイズ除去を可能とすべく、Ｔ型、π型或いはダブルπ型の回路構成を採用してもよい。
【図面の簡単な説明】
【００３８】
【図１】本発明に係る積層型フィルタアレイの一実施形態の斜視図である。
【図２】図１に示された積層型フィルタアレイの分解斜視図である。
【図３】図１に示された積層型フィルタアレイのコイル部の分解斜視図である。
【図４】図１に示された積層型フィルタアレイのコンデンサ部の分解斜視図である。
【図５】図１に示された積層型フィルタアレイの等価回路図である。
【図６】信号用電極が形成された非磁性体グリーンシートの平面図である。
【符号の説明】
【００３９】
１…積層型フィルタアレイ、１０…コイル部、１１１〜１１４，１２１〜１２４，１３１〜１３４，１４１〜１４４，１５１〜１５４，１６１〜１６４…導体パターン、１７，２３…非磁性体グリーンシート（絶縁体層）、２０…コンデンサ部、２１１，２１２…接地用電極、２２１〜２２４…信号用電極、Ｌ１〜Ｌ４…コイル、Ｃ１〜Ｃ４…コンデンサ。
【図１】
2006041820.tif 000003
【図２】
2006041820.tif 000004
【図３】
2006041820.tif 000005
【図４】
2006041820.tif 000006
【図５】
2006041820.tif 000007
【図６】
2006041820.tif 000008